(57)【特許請求の範囲】
【請求項１】
第１及び第２の主面を有する光電変換部と、
前記第１の主面の上に配された第１の電極と、
前記第２の主面の上に配された第２の電極と、
を備え、
前記第１の電極は、
第１の方向に沿って延び、前記第１の方向に対して垂直な第２の方向に沿って相互に間隔をおいて配列された複数のフィンガー部と、
前記複数のフィンガー部を電気的に接続しているバスバー部と、
を有し、
前記第１の主面の上において、前記バスバー部の前記第１の方向における少なくとも一方側に設けられた複数の凸部をさらに備え、
前記複数の凸部は、前記第１の主面の前記第２の方向における端部の単位面積あたりの前記凸部の周囲長の合計が、前記第１の主面の前記第２の方向における中央部の単位面積あたりの前記凸部の周囲長の合計よりも長くなるように設けられており、
前記複数の凸部は、前記第１の主面の前記第２の方向における端部の単位面積あたりの前記凸部の本数が、前記第１の主面の前記第２の方向における中央部の単位面積あたりの前記凸部の本数よりも多くなるように設けられている、太陽電池。
【請求項２】
前記太陽電池は、前記第１の電極に配線材が電気的に接続される太陽電池であって、
前記凸部は、前記配線材と重なるような位置に設けられており、
前記複数の凸部は、前記配線材の下方において、前記第１の主面の前記第２の方向における端部の単位面積あたりの前記凸部の周囲長の合計が、前記第１の主面の前記第２の方向における中央部の単位面積あたりの前記凸部の周囲長の合計よりも長くなるように設けられている、請求項１に記載の太陽電池。
【請求項３】
前記複数の凸部は、前記第１の主面の前記第２の方向における端部の単位面積あたりの前記凸部の周囲長の合計が、前記第１の主面の前記第２の方向における中央部の単位面積あたりの前記凸部の周囲長の合計の１．１倍以上となるように設けられている、請求項１または２に記載の太陽電池。
【請求項４】
前記複数の凸部には、前記フィンガー部の前記第２の方向における近傍に設けられている第１の凸部が含まれる、請求項１〜３のいずれか一項に記載の太陽電池。
【請求項５】
前記第１の凸部は、前記配線材の外側にまで至るように設けられている、請求項２に記載の太陽電池。
【請求項６】
第１及び第２の主面を有する光電変換部と、
前記第１の主面の上に配された第１の電極と、
前記第２の主面の上に配された第２の電極と、
を備え、
前記第１の電極は、
第１の方向に沿って延び、前記第１の方向に対して垂直な第２の方向に沿って相互に間隔をおいて配列された複数のフィンガー部と、
前記複数のフィンガー部を電気的に接続しているバスバー部と、
を有し、
前記第１の主面の上において、前記バスバー部の前記第１の方向における少なくとも一方側に設けられた複数の凸部をさらに備え、
前記複数の凸部は、前記第１の主面の前記第２の方向における端部の単位面積あたりの前記凸部の周囲長の合計が、前記第１の主面の前記第２の方向における中央部の単位面積あたりの前記凸部の周囲長の合計よりも長くなるように設けられており、
前記複数の凸部には、前記フィンガー部の前記第２の方向における近傍に設けられている第１の凸部が含まれ、
前記第１の凸部は、前記第１の凸部と前記フィンガー部との前記第２の方向における距離が前記第２の方向における前記フィンガー部のピッチの１／３以下となるように配されている、太陽電池。
【請求項７】
第１及び第２の主面を有する光電変換部と、
前記第１の主面の上に配された第１の電極と、
前記第２の主面の上に配された第２の電極と、
を備え、
前記第１の電極は、
第１の方向に沿って延び、前記第１の方向に対して垂直な第２の方向に沿って相互に間隔をおいて配列された複数のフィンガー部と、
前記複数のフィンガー部を電気的に接続しているバスバー部と、
を有し、
前記第１の主面の上において、前記バスバー部の前記第１の方向における少なくとも一方側に設けられた複数の凸部をさらに備え、
前記複数の凸部は、前記第１の主面の前記第２の方向における端部の単位面積あたりの前記凸部の周囲長の合計が、前記第１の主面の前記第２の方向における中央部の単位面積あたりの前記凸部の周囲長の合計よりも長くなるように設けられており、
前記複数の凸部には、前記フィンガー部の前記第２の方向における近傍に設けられている第１の凸部が含まれ、
前記第１の凸部は、前記第１の凸部と前記フィンガー部との間の前記第２の方向における距離が０．７ｍｍ以下となるように配されている、太陽電池。
【請求項８】
第１及び第２の主面を有する光電変換部と、
前記第１の主面の上に配された第１の電極と、
前記第２の主面の上に配された第２の電極と、
を備え、
前記第１の電極は、
第１の方向に沿って延び、前記第１の方向に対して垂直な第２の方向に沿って相互に間隔をおいて配列された複数のフィンガー部と、
前記複数のフィンガー部を電気的に接続しているバスバー部と、
を有し、
前記第１の主面の上において、前記バスバー部の前記第１の方向における少なくとも一方側に設けられた複数の凸部をさらに備え、
前記複数の凸部は、前記第１の主面の前記第２の方向における端部の単位面積あたりの前記凸部の周囲長の合計が、前記第１の主面の前記第２の方向における中央部の単位面積あたりの前記凸部の周囲長の合計よりも長くなるように設けられており、
前記複数の凸部には、前記フィンガー部の前記第２の方向における近傍に設けられている第１の凸部が含まれ、
前記第１の凸部は、前記第１の凸部と前記フィンガー部との間の前記第２の方向における距離が、前記フィンガー部の幅の１０倍以下となるように配されている、太陽電池。
【請求項９】
前記複数の凸部は、前記バスバー部及び前記フィンガー部のうちの少なくとも一方に接続されている凸部を含む、請求項４〜８のいずれか一項に記載の太陽電池。
【請求項１０】
第１及び第２の主面を有する光電変換部と、
前記第１の主面の上に配された第１の電極と、
前記第２の主面の上に配された第２の電極と、
を備え、
前記第１の電極は、
第１の方向に沿って延び、前記第１の方向に対して垂直な第２の方向に沿って相互に間隔をおいて配列された複数のフィンガー部と、
前記複数のフィンガー部を電気的に接続しているバスバー部と、
を有し、
前記第１の主面の上において、前記バスバー部の前記第１の方向における少なくとも一方側に設けられた複数の凸部をさらに備え、
前記複数の凸部は、前記第１の主面の前記第２の方向における端部の単位面積あたりの前記凸部の周囲長の合計が、前記第１の主面の前記第２の方向における中央部の単位面積あたりの前記凸部の周囲長の合計よりも長くなるように設けられており、
前記複数の凸部には、前記フィンガー部の前記第２の方向における近傍に設けられている第１の凸部が含まれ、
前記複数の凸部は、前記バスバー部及び前記フィンガー部の両方から隔離されている凸部を含む、太陽電池。
【請求項１１】
第１及び第２の主面を有する光電変換部と、
前記第１の主面の上に配された第１の電極と、
前記第２の主面の上に配された第２の電極と、
を備え、
前記第１の電極は、
第１の方向に沿って延び、前記第１の方向に対して垂直な第２の方向に沿って相互に間隔をおいて配列された複数のフィンガー部と、
前記複数のフィンガー部を電気的に接続しているバスバー部と、
を有し、
前記第１の主面の上において、前記バスバー部の前記第１の方向における少なくとも一方側に設けられた複数の凸部をさらに備え、
前記複数の凸部は、前記第１の主面の前記第２の方向における端部の単位面積あたりの前記凸部の周囲長の合計が、前記第１の主面の前記第２の方向における中央部の単位面積あたりの前記凸部の周囲長の合計よりも長くなるように設けられており、
前記複数の凸部は、前記第１の方向に向かって延びる線状の部分を含む凸部を含む、太陽電池。
【請求項１２】
第１及び第２の主面を有する光電変換部と、
前記第１の主面の上に配された第１の電極と、
前記第２の主面の上に配された第２の電極と、
を備え、
前記第１の電極は、
第１の方向に沿って延び、前記第１の方向に対して垂直な第２の方向に沿って相互に間隔をおいて配列された複数のフィンガー部と、
前記複数のフィンガー部を電気的に接続しているバスバー部と、
を有し、
前記第１の主面の上において、前記バスバー部の前記第１の方向における少なくとも一方側に設けられた複数の凸部をさらに備え、
前記複数の凸部は、前記第１の主面の前記第２の方向における端部の単位面積あたりの前記凸部の周囲長の合計が、前記第１の主面の前記第２の方向における中央部の単位面積あたりの前記凸部の周囲長の合計よりも長くなるように設けられており、
前記複数の凸部は、前記第２の方向に向かって延びる線状の部分を含む凸部を含む、太陽電池。
【請求項１３】
前記複数の凸部は、前記フィンガー部と交差している凸部を含む、請求項１〜１２のいずれか一項に記載の太陽電池。
【請求項１４】
前記複数の凸部は、前記バスバー部と交差している凸部を含む、請求項１〜１３のいずれか一項に記載の太陽電池。
【請求項１５】
前記凸部は、導電部材により構成されている、請求項１〜１４のいずれか一項に記載の太陽電池。
【請求項１６】
前記凸部の材質と前記第１の電極の材質とが等しい、請求項１５に記載の太陽電池。
【請求項１７】
前記凸部の高さは、前記フィンガー部の高さと等しい、請求項１〜１６のいずれか一項に記載の太陽電池。
【請求項１８】
第１及び第２の主面を有する光電変換部と、
前記第１の主面の上に配された第１の電極と、
前記第２の主面の上に配された第２の電極と、
を備え、
前記第１の電極は、
第１の方向に沿って延び、前記第１の方向に対して垂直な第２の方向に沿って相互に間隔をおいて配列された複数のフィンガー部と、
前記複数のフィンガー部を電気的に接続しているバスバー部と、
を有し、
前記第１の主面の上において、前記バスバー部の前記第１の方向における少なくとも一方側に設けられた複数の凸部をさらに備え、
前記複数の凸部は、前記第１の主面の前記第２の方向における端部の単位面積あたりの前記凸部の周囲長の合計が、前記第１の主面の前記第２の方向における中央部の単位面積あたりの前記凸部の周囲長の合計よりも長くなるように設けられており、
前記複数の凸部は、前記第２の方向において隣接するフィンガー部間に配された第２の凸部を備える、太陽電池。
【請求項１９】
前記第２の凸部は、前記第１の主面の前記第２の方向における少なくとも一方の端部に設けられている、請求項１８に記載の太陽電池。
【請求項２０】
前記第２の凸部は、前記第１の主面の前記第２の方向における中央部には設けられていない、請求項１８または１９に記載の太陽電池。
【請求項２１】
前記バスバー部は、前記第２の方向に沿って延びる線状である、請求項１〜２０のいずれか一項に記載の太陽電池。
【請求項２２】
前記バスバー部は、前記第２の方向に沿って延びるジグザグ状である、請求項１〜２０のいずれか一項に記載の太陽電池。
【請求項２３】
前記第１の主面は、受光面である、請求項１〜２２のいずれか一項に記載の太陽電池。
【請求項２４】
第１及び第２の主面を有する光電変換部と、前記第１の主面の上に配された第１の電極と、前記第２の主面の上に配された第２の電極とを有する複数の太陽電池と、隣り合う前記太陽電池の一方の前記第１の電極と他方の前記第２の電極とを電気的に接続している配線材と、前記太陽電池と前記配線材とを接着している樹脂からなる接着剤層とを備える太陽電池モジュールであって、
前記第１の電極は、
第１の方向に沿って延び、前記第１の方向に対して垂直な第２の方向に沿って相互に間隔をおいて配列された複数のフィンガー部を有し、
前記太陽電池は、
前記第１の主面の上において、少なくとも一部が前記配線材と重なるように設けられた複数の凸部をさらに有し、
前記複数の凸部は、前記配線材の下方において、前記第１の主面の前記第２の方向における端部の単位面積あたりの前記凸部の周囲長の合計が、前記第１の主面の前記第２の方向における中央部の単位面積あたりの前記凸部の周囲長の合計よりも長くなるように設けられており、
前記複数の凸部は、前記第１の主面の前記第２の方向における端部の単位面積あたりの前記凸部の本数が、前記第１の主面の前記第２の方向における中央部の単位面積あたりの前記凸部の本数よりも多くなるように設けられている、太陽電池モジュール。
【請求項２５】
前記複数の凸部は、前記フィンガー部の前記第２の方向における近傍に設けられている第１の凸部を有し、
前記樹脂接着剤層の前記第１の凸部の側壁と前記配線材とに跨がっている部分と、前記樹脂接着剤層の前記フィンガー部の側壁と前記配線材とに跨がっている部分とが連なっている、請求項２４に記載の太陽電池モジュール。
【請求項２６】
第１及び第２の主面を有する光電変換部と、前記第１の主面の上に配された第１の電極と、前記第２の主面の上に配された第２の電極とを有する複数の太陽電池と、隣り合う前記太陽電池の一方の前記第１の電極と他方の前記第２の電極とを電気的に接続している配線材と、前記太陽電池と前記配線材とを接着している樹脂からなる接着剤層とを備える太陽電池モジュールであって、
前記太陽電池は、請求項６〜８、１０〜１３のいずれか一項に記載の太陽電池であり、
前記複数の凸部は、前記第１の主面の上において、少なくとも一部が前記配線材と重なるように設けられており、
前記複数の凸部は、前記配線材の下方において、前記第１の主面の前記第２の方向における端部の単位面積あたりの前記凸部の周囲長の合計が、前記第１の主面の前記第２の方向における中央部の単位面積あたりの前記凸部の周囲長の合計よりも長くなるように設けられている、太陽電池モジュール。
【請求項２７】
前記凸部は、前記配線材よりも外側にまで至っている、請求項２４〜２６のいずれか一項に記載の太陽電池モジュール。
【請求項２８】
第１及び第２の主面を有する光電変換部と、前記第１の主面の上に配された第１の電極と、前記第２の主面の上に配された第２の電極とを有する複数の太陽電池と、隣り合う前記太陽電池の一方の前記第１の電極と他方の前記第２の電極とを電気的に接続している配線材と、前記太陽電池と前記配線材とを接着している樹脂からなる接着剤層とを備える太陽電池モジュールであって、
前記第１の電極は、
第１の方向に沿って延び、前記第１の方向に対して垂直な第２の方向に沿って相互に間隔をおいて配列された複数のフィンガー部を有し、
前記太陽電池は、
前記第１の主面の上において、少なくとも一部が前記配線材と重なるように設けられた複数の凸部をさらに有し、
前記複数の凸部は、前記配線材の下方において、前記第１の主面の前記第２の方向における端部の単位面積あたりの前記凸部の周囲長の合計が、前記第１の主面の前記第２の方向における中央部の単位面積あたりの前記凸部の周囲長の合計よりも長くなるように設けられており、
前記複数の凸部は、前記第２の方向において隣接するフィンガー部間に配された第２の凸部を有する、太陽電池モジュール。
【請求項２９】
前記第２の凸部は、全体が前記配線材と重なるように設けられている、請求項２８に記載の太陽電池モジュール。
【請求項３０】
前記第２の凸部は、前記第１の主面の前記第２の方向における少なくとも一方の端部に設けられている、請求項２８または２９に記載の太陽電池モジュール。
【請求項３１】
前記第２の凸部は、前記第１の主面の前記配線材の端部が位置している領域に設けられている、請求項３０に記載の太陽電池モジュール。
【請求項３２】
前記第２の凸部は、前記第１の主面の前記第２の方向における中央部には設けられていない、請求項２８〜３１のいずれか一項に記載の太陽電池モジュール。
【請求項３３】
前記第１の電極は、少なくとも一部が前記配線材と重なるように配されており、前記複数のフィンガー部を電気的に接続しているバスバー部をさらに含む、請求項２４〜３２のいずれか一項に記載の太陽電池モジュール。
【請求項３４】
前記樹脂接着剤層は、樹脂層と、前記樹脂層に分散した導電性粒子とを含む、請求項２４〜３３のいずれか一項に記載の太陽電池モジュール。
【発明の詳細な説明】
【技術分野】
【０００１】
本発明は、太陽電池及びそれを備える太陽電池モジュールに関する。特に、本発明は、樹脂接着剤により配線材と接着される太陽電池及びその太陽電池を複数備える太陽電池モジュールに関する。
【背景技術】
【０００２】
近年、環境負荷が低いエネルギー源として、太陽電池モジュールに対する注目が高まってきている。太陽電池モジュールは、配線材により電気的に接続された複数の太陽電池を備えている。
【０００３】
従来、配線材と太陽電池との接着は、専ら半田により行われていた。しかしながら、配線材と太陽電池とを半田により接着する場合、接着工程において太陽電池が高温になりやすい。このことから、近年、例えば下記の特許文献１等において、異方性導電性樹脂接着剤等の樹脂接着剤を用いて配線材と太陽電池とを接着することが提案されている。
【先行技術文献】
【特許文献】
【０００４】
【特許文献１】特開２００７−２１４５３３号公報
【発明の概要】
【発明が解決しようとする課題】
【０００５】
上記のような樹脂接着剤を用いて配線材と太陽電池とが接着された太陽電池モジュールにおいては、配線材の剥がれを如何に抑制するかが課題となっている。
【０００６】
本発明は、斯かる点に鑑みて成されたものであり、その目的は、配線材の接着強度が向上した太陽電池モジュールを提供することにある。
【課題を解決するための手段】
【０００７】
本発明に係る太陽電池は、光電変換部と、第１の電極と、第２の電極とを備えている。光電変換部は、第１及び第２の主面を有する。第１の電極は、第１の主面の上に配されている。第２の電極は、第２の主面の上に配されている。第１の電極は、複数のフィンガー部と、バスバー部とを有する。複数のフィンガー部のそれぞれは、第１の方向に沿って延びている。複数のフィンガー部は、第１の方向に対して垂直な第２の方向に沿って相互に間隔をおいて配列されている。バスバー部は、複数のフィンガー部を電気的に接続している。本発明に係る太陽電池は、複数の凸部をさらに備えている。複数の凸部は、第１の主面の上において、バスバー部の第１の方向における少なくとも一方側に設けられている。複数の凸部は、第１の主面の第２の方向における端部の単位面積あたりの凸部の周囲長の合計が、第１の主面の第２の方向における中央部の単位面積あたりの凸部の周囲長の合計よりも長くなるように設けられている。
【０００８】
本発明に係る太陽電池モジュールは、複数の太陽電池と、配線材と、樹脂からなる接着剤層とを備えている。複数の太陽電池のそれぞれは、光電変換部と、第１の電極と、第２の電極とを備えている。光電変換部は、第１及び第２の主面を有する。第１の電極は、第１の主面の上に配されている。第２の電極は、第２の主面の上に配されている。配線材は、隣り合う太陽電池の一方の第１の電極と他方の第２の電極とを電気的に接続している。接着剤層は、太陽電池と配線材とを接着している。第１の電極は、複数のフィンガー部を有する。複数のフィンガー部のそれぞれは、第１の方向に沿って延びている。複数のフィンガー部は、第１の方向に対して垂直な第２の方向に沿って相互に間隔をおいて配列されている。太陽電池は、複数の凸部をさらに有する。複数の凸部は、第１の主面の上において、少なくとも一部が配線材と重なるように設けられている。複数の凸部は、配線材の下方において、第１の主面の第２の方向における端部の単位面積あたりの凸部の周囲長の合計が、第１の主面の第２の方向における中央部の単位面積あたりの凸部の周囲長の合計よりも長くなるように設けられている。
【発明の効果】
【０００９】
本発明によれば、配線材の接着強度が向上した太陽電池モジュールを提供することができる。
【図面の簡単な説明】
【００１０】
【図１】第１の実施形態に係る太陽電池モジュールの略図的断面図である。
【図２】第１の実施形態における太陽電池ストリングの略図的平面図である。
【図３】図２の線ＩＩＩ−ＩＩＩにおける太陽電池の略図的断面図である。
【図４】第１の実施形態における光電変換部の略図的断面図である。
【図５】第１の実施形態における裏面電極の略図的平面図である。
【図６】第１の実施形態における受光面電極の略図的平面図である。
【図７】第１の実施形態における受光面電極の、受光面のｘ方向の中央部に位置する部分の略図的平面図である。
【図８】第１の実施形態における受光面電極の、受光面のｘ方向の端部に位置する部分の略図的平面図である。
【図９】第１の実施形態における太陽電池モジュールの一部分を拡大した模式的断面図である。
【図１０】比較例における太陽電池モジュールの一部分を拡大した模式的断面図である。
【図１１】第２の実施形態における受光面電極の、受光面のｘ方向の中央部に位置する部分の略図的平面図である。
【図１２】第２の実施形態における受光面電極の、受光面のｘ方向の端部に位置する部分の略図的平面図である。
【図１３】第３の実施形態における受光面電極の、受光面のｘ方向の中央部に位置する部分の略図的平面図である。
【図１４】第３の実施形態における受光面電極の、受光面のｘ方向の端部に位置する部分の略図的平面図である。
【図１５】第４の実施形態における受光面電極の、受光面のｘ方向の中央部に位置する部分の略図的平面図である。
【図１６】第４の実施形態における受光面電極の、受光面のｘ方向の端部に位置する部分の略図的平面図である。
【図１７】第５の実施形態における受光面電極の、受光面のｘ方向の端部に位置する部分の略図的平面図である。
【図１８】第６の実施形態における受光面電極の、受光面のｘ方向の端部に位置する部分の略図的平面図である。
【図１９】第７の実施形態における受光面電極の、受光面のｘ方向の端部に位置する部分の略図的平面図である。
【図２０】第８の実施形態における受光面電極の、受光面のｘ方向の中央部に位置する部分の略図的平面図である。
【図２１】第８の実施形態における受光面電極の、受光面のｘ方向の端部に位置する部分の略図的平面図である。
【図２２】第９の実施形態における受光面電極の、受光面のｘ方向の中央部に位置する部分の略図的平面図である。
【図２３】第９の実施形態における受光面電極の、受光面のｘ方向の端部に位置する部分の略図的平面図である。
【図２４】第１０の実施形態における受光面電極の、受光面のｘ方向の中央部に位置する部分の略図的平面図である。
【図２５】第１０の実施形態における受光面電極の、受光面のｘ方向の端部に位置する部分の略図的平面図である。
【図２６】第１１の実施形態における受光面電極の、受光面のｘ方向の中央部に位置する部分の略図的平面図である。
【図２７】第１１の実施形態における受光面電極の、受光面のｘ方向の端部に位置する部分の略図的平面図である。
【発明を実施するための形態】
【００１１】
以下、本発明を実施した好ましい形態の一例について説明する。但し、以下の実施形態は単なる例示である。本発明は、以下の実施形態に何ら限定されない。
【００１２】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１３】
（第１の実施形態）
図１は、第１の実施形態に係る太陽電池モジュールの略図的断面図である。図２は、第１の実施形態における太陽電池ストリングの略図的平面図である。太陽電池モジュール１は、複数の太陽電池ストリング２を備えている。複数の太陽電池ストリング２のそれぞれは、長手方向がｘ方向に沿うように配されている。複数の太陽電池ストリング２は、ｙ方向に沿って配列されている。複数の太陽電池ストリング２は、電気的に直列または並列に接続されている。
【００１４】
太陽電池ストリング２は、ｘ方向に沿って配列された複数の太陽電池１０を備えている。複数の太陽電池１０は、配線材１１によって電気的に接続されている。具体的には、ｘ方向に隣接する太陽電池１０の一方の裏面電極２２と他方の受光面電極２１とが配線材１１によって電気的に接続されることによって、複数の太陽電池１０が直列または並列に電気的に接続されている。
【００１５】
なお、本実施形態においては、隣り合う太陽電池１０は、ｘ方向に沿って延び、ｙ方向に沿って配列された３本の配線材１１により電気的に接続されている。但し、本発明は、この構成に限定されない。隣り合う太陽電池を電気的に接続している配線材の数は、１であってもよいし、２であってもよいし、４以上であってもよい。
【００１６】
配線材１１と太陽電池１０とは、樹脂からなる接着剤層１２により接着されている。接着剤層１２は、樹脂のみからなるものであってもよい。また、接着剤層１２は、樹脂層と、その樹脂層中に分散した導電性粒子とを含む異方導電性を有するものであってもよい。導電性粒子の具体例としては、金属粒子や、合金粒子、金属または合金によりコーティングされた絶縁性粒子等が挙げられる。なお、接着剤層１２が樹脂接着剤のみからなる場合は、配線材１１と裏面電極２２または受光面電極２１とが直接接触するように接着を行う必要がある。
【００１７】
複数の太陽電池１０の裏面側には、第１の保護部材１４が配置されている。一方、複数の太陽電池１０の受光面側には、第２の保護部材１５が配置されている。太陽電池１０と第１の保護部材１４との間及び太陽電池１０と第２の保護部材１５との間には、封止材１３が設けられている。複数の太陽電池１０は、この封止材１３により封止されている。
【００１８】
封止材１３並びに第１及び第２の保護部材１４，１５の材料は、特に限定されない。封止材１３は、例えば、エチレン・酢酸ビニル共重合体（ＥＶＡ）やポリビニルブチラール（ＰＶＢ）等の樹脂により形成することができる。
【００１９】
裏面側に配された第１の保護部材１４は、例えば、ガラス、樹脂フィルムやアルミニウム箔などの金属箔を介在させた樹脂フィルムにより構成することができる。
【００２０】
受光面側に配された第２の保護部材１５は、例えば、透光性のガラスや樹脂等の透光性を有する板体により構成することができる。
【００２１】
第１の保護部材１４、封止材１３、複数の太陽電池１０、封止材１３、第２の保護部材１５を有する積層体の外周には、必要に応じて、Ａｌ等の金属製の枠体（図示しない）が取り付けられていてもよい。また、第１の保護部材１４の表面には、必要に応じて、太陽電池１０の出力を外部に取り出すための端子ボックスが設けられていてもよい。
【００２２】
図３は、図２の線ＩＩＩ−ＩＩＩにおける太陽電池の略図的断面図である。図４は、第１の実施形態における光電変換部の略図的断面図である。図５は、第１の実施形態における裏面電極の略図的平面図である。図６は、第１の実施形態における受光面電極の略図的平面図である。
【００２３】
太陽電池１０は、光電変換部２０を有する。光電変換部２０は、受光することによって電子や正孔などのキャリアを生成させる部材である。光電変換部２０は、例えば、一の導電型を有する結晶性半導体からなる基板と、その基板の一の主面上に配されており、他の導電型を有する第１の非晶質半導体層と、基板の他の主面上に配されており、一の導電型を有する第２の非晶質半導体層とを有するものであってもよい。その場合において、第１及び第２の非晶質半導体層の少なくとも一方と、結晶性半導体基板との間に、実質的に発電に寄与しない厚みのｉ型非晶質半導体層を設けてもよい。また、光電変換部２０は、ｎ型ドーパント拡散領域とｐ型ドーパント拡散領域とが表面に露出している半導体基板を有するものであってもよい。
【００２４】
本実施形態においては、光電変換部２０は、具体的には、ｎ型結晶性の半導体基板２０ａを備えている。ｎ型結晶性の半導体基板２０ａは、例えば、ｎ型結晶性シリコンにより構成することができる。ここで、「結晶性」には、単結晶と、多結晶とが含まれるものとする。
【００２５】
半導体基板２０ａの両主面は、テクスチャ構造を有する。ここで、「テクスチャ構造」とは、表面反射を抑制し、光電変換部の光吸収量を増大させるために形成されている凹凸構造のことをいう。テクスチャ構造の具体例としては、（１００）面を有する単結晶シリコン基板の表面に異方性エッチングを施すことによって得られるピラミッド状（四角錐状や、四角錐台状）の凹凸構造が挙げられる。
【００２６】
半導体基板２０ａの受光面側の主面の上には、ｎ型非晶質半導体層２０ｃが配されている。ｎ型非晶質半導体層２０ｃは、例えば、水素を含むｎ型のアモルファスシリコン層により構成することができる。ｎ型非晶質半導体層２０ｃと半導体基板２０ａとの間には、実質的に発電に寄与しない程度の厚みのｉ型非晶質半導体層２０ｂが配されている。ｉ型非晶質半導体層２０ｂは、例えば、水素を含むｉ型のアモルファスシリコン層により構成することができる。一方、ｎ型非晶質半導体層２０ｃの上には、透明導電層２０ｄが配されている。この透明導電層２０ｄの表面が光電変換部２０の受光面２０Ａを構成している。
【００２７】
半導体基板２０ａの裏面側の主面の上には、ｐ型非晶質半導体層２０ｆが配されている。ｐ型非晶質半導体層２０ｆは、例えば、水素を含むｎ型のアモルファスシリコン層により構成することができる。ｐ型非晶質半導体層２０ｆと半導体基板２０ａとの間には、実質的に発電に寄与しない程度の厚みのｉ型非晶質半導体層２０ｅが配されている。ｉ型非晶質半導体層２０ｅは、例えば、水素を含むｉ型のアモルファスシリコン層により構成することができる。一方、ｐ型非晶質半導体層２０ｆの上には、透明導電層２０ｇが配されている。この透明導電層２０ｇの表面が光電変換部２０の裏面２０Ｂを構成している。なお、この透明導電層２０ｇと上記透明導電層２０ｄとのそれぞれは、例えば、ＩＴＯ（Ｉｎｄｉｕｍ  Ｔｉｎ  Ｏｘｉｄｅ）やＺｎＯ等の透光性導電酸化物からなる膜により構成することができる。また、上記構成では半導体基板２０ａの受光面側の主面の上にｎ型非晶質半導体層２０ｃが配され、裏面側の主面の上にｐ型非晶質半導体層２０ｆが配されているが、受光面側の主面の上にｐ型非晶質半導体層２０ｆを配し、裏面側の主面の上にｎ型非晶質半導体層２０ｃを配するようにしても良い。
【００２８】
光電変換部２０の受光面２０Ａの上には、受光面電極２１が配されている。本実施形態において受光面電極２１は、多数キャリアである電子を収集するｎ側電極である。一方、光電変換部２０の裏面２０Ｂの上には、裏面電極２２が配されている。裏面電極２２は、本実施形態における少数キャリアである正孔を収集するｐ側電極である。
【００２９】
受光面電極２１と裏面電極２２とは、適宜の導電材料により構成することができる。受光面電極２１と裏面電極２２とは、例えば、銀、アルミニウム、銅、スズなどの金属や、それらの金属の一種以上を含む合金、透明導電性酸化物等により構成することができる。受光面電極２１と裏面電極２２とは、例えば、導電性ペーストを用いて形成されていてもよいし、めっきにより形成されていてもよい。
【００３０】
裏面電極２２は、複数のフィンガー部２２ａと、少なくともひとつのバスバー部２２ｂとを有する。複数のフィンガー部２２ａのそれぞれは、ｙ方向に沿って延びる線状である。複数のフィンガー部２２ａは、ｘ方向に沿って相互に間隔をおいて略等間隔に配列されている。複数のフィンガー部２２ａは、少なくともひとつのバスバー部２２ｂによって電気的に接続されている。本実施形態では、バスバー部２２ｂは、配線材１１の数に対応して３本設けられている。配線材１１は、バスバー部２２ｂの少なくとも一部と重なるように配されている。
【００３１】
本実施形態では、複数のバスバー部２２ｂのそれぞれは、ｘ方向に沿って延びるジグザグ状である。但し、バスバー部は、直線状であってもよい。また、裏面電極は、バスバー部を有さず、複数のフィンガー部のみからなる所謂バスバーレスの電極であってもよい。裏面電極は、光電変換部２０の裏面２０Ｂの略全面上に設けられた面状電極であってもよい。
【００３２】
フィンガー部２２ａの幅は、０．０５ｍｍ〜０．２ｍｍであることが好ましい。フィンガー部２２ａのｘ方向に沿ったピッチ（中心間距離）は、０．４ｍｍ〜１．０ｍｍであることが好ましい。バスバー部２２ｂの幅は、０．０５ｍｍ〜０．３ｍｍであることが好ましい。
【００３３】
受光面電極２１は、複数のフィンガー部２１ａと、少なくともひとつのバスバー部２１ｂとを有する。複数のフィンガー部２１ａのそれぞれは、ｙ方向に沿って延びる直線状である。複数のフィンガー部２１ａは、ｘ方向に沿って相互に間隔をおいて等間隔に配列されている。受光面側のフィンガー部２１ａは、受光ロスを低減するために裏面側のフィンガー部２２ａより少ない本数にされる。受光面側のフィンガー部２１ａは、抵抗損失を低減するために裏面側のフィンガー部２２ａより厚い厚みにされる。例えばフィンガー部２１ａの厚みは、フィンガー部２２ａの厚みの１．５倍以上にされる。
【００３４】
複数のフィンガー部２１ａは、少なくともひとつのバスバー部２１ｂによって電気的に接続されている。本実施形態では、バスバー部２１ｂは、裏面電極２２のバスバー部２２ｂと同様に、配線材１１の数に対応して３本設けられている。但し、本発明において、バスバー部の数は、特に限定されない。バスバー部は、例えば、１本または２本設けられていてもよいし、４本以上設けられていてもよい。
【００３５】
３本のバスバー部２１ｂのそれぞれは、ｘ方向に延びる直線状である。配線材１１は、バスバー部２１ｂの少なくとも一部と重なるように配されている。具体的には、本実施形態では、配線材１１は、バスバー部２１ｂの全体と重なるように配されている。
【００３６】
フィンガー部２１ａの幅は、０．０５ｍｍ〜０．２ｍｍであることが好ましい。フィンガー部２１ａの幅は、フィンガー部２２ａの幅の０．５倍〜２倍であることが好ましい。フィンガー部２１ａのｘ方向に沿ったピッチ（中心間距離）は、１ｍｍ〜４ｍｍであることが好ましい。フィンガー部２１ａのｘ方向に沿ったピッチは、フィンガー部２２ａのｘ方向に沿ったピッチの１倍〜６倍であることが好ましい。バスバー部２１ｂの幅は、０．０５ｍｍ〜２ｍｍであることが好ましい。バスバー部２１ｂの幅は、バスバー部２２ｂの幅の０．５倍〜２倍であることが好ましい。
【００３７】
図７は、第１の実施形態における受光面電極２１の、受光面２０Ａのｘ方向の中央部に位置する部分の略図的平面図である。図８は、第１の実施形態における受光面電極２１の、受光面２０Ａのｘ方向の端部に位置する部分の略図的平面図である。太陽電池１０は、受光面２０Ａの上に配された凸部２３を備えている。凸部２３は、受光面２０Ａに対し光電変換部２０の厚み方向に凸形状にされている。
【００３８】
本実施形態においては、凸部２３は、導電部材により構成されている。具体的には、凸部２３は、受光面電極２１と同じ材質からなる。凸部２３のｚ方向に沿った高さは、フィンガー部２１ａのｚ方向に沿った高さと等しい。ここで、「高さが等しい」とは、各部材の高さが、平均高さの０．５倍〜１．５の範囲内にあることをいう。
【００３９】
凸部２３は、凸部２３ａ、２３ｂと、凸部２３ｃとを含む。凸部２３ａ、２３ｂは、ｙ方向に沿って延びる線状である。よって、凸部２３ａ、２３ｂは、フィンガー部２１ａと平行である。
【００４０】
凸部２３ａ、２３ｂは、受光面２０Ａの上において、バスバー部２１ｂのｙ方向における少なくとも一方側に設けられている。具体的には、凸部２３ａ、２３ｂは、バスバー部２１ｂのｙ方向における一方側から他方側に跨がって配されている。凸部２３ａ、２３ｂは、バスバー部２１ｂ及びフィンガー部２１ａのうちの少なくとも一方に接続されている。具体的には、凸部２３ａ、２３ｂは、バスバー部２１ｂに接続されている。凸部２３ａ、２３ｂは、バスバー部２１ｂと交差している。凸部２３ａ、２３ｂとバスバー部２１ｂとのなす角の大きさは略垂直である。
【００４１】
凸部２３ａ、２３ｂは、少なくとも一部が配線材１１と重なるように設けられている。本実施形態では、具体的には、凸部２３ａ、２３ｂの長さは、バスバー部２１ｂの幅よりも大きい。凸部２３ａ、２３ｂは、一部が配線材１１と重なるように設けられており、両端部は、配線材１１のｙ方向における外側にまで至っている。
【００４２】
凸部２３ａは、フィンガー部２１ａのｘ方向におけるｘ１側に配置されている。凸部２３ｂは、フィンガー部２１ａのｘ方向におけるｘ２側に配置されている。凸部２３ａおよび２３ｂは、同じフィンガー部２１ａを挟んで対称的に配置されている。凸部２３ａ、２３ｂは、フィンガー部２１ａのｘ方向における近傍に設けられている。隣り合うフィンガー部２１ａ，２１ａ間に配置された凸部２３ａ，２３ｂ間の距離は、フィンガー部２１ａと凸部２３ａ間の距離より大きく、フィンガー部２１ａと凸部２３ｂ間の距離より大きい。具体的には、凸部２３ａ、２３ｂは、凸部２３ａ、２３ｂとフィンガー部２１ａとのｘ方向における距離がｘ方向におけるフィンガー部２１ａのピッチの１／１０以下となるように配されている。凸部２３ａ、２３ｂは、凸部２３ａ、２３ｂとフィンガー部２１ａとの間のｘ方向における距離が０．２５ｍｍ以下となるように配されている。凸部２３ａ、２３ｂは、凸部２３ａ、２３ｂとフィンガー部２１ａとの間のｘ方向における距離が、フィンガー部２１ａの幅の４倍以下となるように配されている。
【００４３】
凸部２３ａ、２３ｂのｘ方向に沿った幅は、フィンガー部２１ａの幅の０．５倍〜３倍の範囲内にある。凸部２３ａ、２３ｂのｘ方向に沿った幅は、フィンガー部２１ａの幅の１倍〜１．５倍の範囲内にあることがより好ましい。
【００４４】
なお、本実施形態においては、複数のフィンガー部２１ａのうち、配線材１１の最も端部側に位置するフィンガー部２１ａ１の配線材１１と重なっている部分は、他のフィンガー部２１ａよりも太い。このようにすることにより、配線材１１が端部から剥離することを抑制することができる。
【００４５】
ｘ方向の端部においてｘ方向に隣接するフィンガー部２１ａ間には、複数の凸部２３ｃが配置されている。複数の凸部２３ｃは、フィンガー部２１ａの近傍には設けられていない。凸部２３ｃは、受光面２０Ａのｘ方向における少なくとも一方の端部に設けられている。本実施形態では、凸部２３ｃは、受光面２０Ａの配線材１１の端部が位置している領域に設けられている。凸部２３ｃは、受光面２０Ａのｘ方向における中央部には設けられていない。
【００４６】
凸部２３ｃは、ｙ方向に延びる線状である。このため、凸部２３ｃは、フィンガー部２１ａと平行である。また、凸部２３ｃは、凸部２３ａおよび凸部２３ｂと平行である。凸部２３ｃのｙ方向に沿った長さは、凸部２３ａ、２３ｂのｙ方向に沿った長さよりも短い。具体的には、凸部２３ｃは、全体が配線材１１と重なるように設けられている。より具体的には、凸部２３ｃのｙ方向に沿った長さは、配線材１１の幅と略同一とされている。
【００４７】
凸部２３ｃは、フィンガー部２１ａのｘ方向における近傍に設けられていない。凸部２３ｃは、凸部２３ａと凸部２３ｂの間に設けられている。ｘ方向に隣接するフィンガー部２１ａ間において、複数の凸部２３ｃは、略等間隔に配置されている。このため、凸部２３ｃと、その凸部２３ｃに隣接している凸部２３ｃまたは凸部２３ａ、２３ｂとの間の間隔は、凸部２３ａ、２３ｂとフィンガー部２１ａとのｘ方向における間隔よりも広い。
【００４８】
凸部２３ａは、バスバー部２１ｂ及びフィンガー部２１ａのうちの少なくとも一方に接続されている。具体的には、凸部２３ａは、バスバー部２１ｂに接続されている。より具体的には、凸部２３ａは、バスバー部２１ｂと交差している。
【００４９】
このように、本実施形態では、凸部２３ｃが設けられることにより、配線材１１の下方において、受光面２０Ａのｘ方向における端部の単位面積あたりの凸部２３の周囲長の合計が、受光面２０Ａのｘ方向における中央部の単位面積あたりの凸部２３の周囲長の合計よりも長くされている。具体的には、本実施形態では、配線材１１の下方において、受光面２０Ａのｘ方向における端部の単位面積あたりの凸部２３の周囲長の合計が、受光面２０Ａのｘ方向における中央部の単位面積あたりの凸部２３の周囲長の合計の１．１倍以上とされている。
【００５０】
また、複数の凸部２３は、配線材１１の下方において、受光面２０Ａのｘ方向における端部の単位面積あたりの凸部２３の本数が、受光面２０Ａのｘ方向における中央部の単位面積あたりの凸部２３の本数よりも多くされている。具体的には、本実施形態では、配線材１１の下方において、受光面２０Ａのｘ方向における端部の単位面積あたりの凸部２３の本数が、受光面２０Ａのｘ方向における中央部の単位面積あたりの凸部２３の本数の１．１倍以上とされている。
【００５１】
凸部２３ｃのｘ方向に沿った幅は、フィンガー部２１ａの幅の０．５倍〜３倍の範囲内とされている。
【００５２】
以上説明したように、本実施形態では、フィンガー部２１ａのｘ方向における近傍に凸部２３ａ、２３ｂが設けられている。このため、図９に模式的に示すように、フィンガー部２１ａ近傍における配線材１１と太陽電池１０との接着強度が高くなる。具体的には、フィンガー部２１ａの側面と配線材１１の表面とが接着剤層１２によって接着されると共に、凸部２３ａ、２３ｂの側面と配線材１１の表面とも接着剤層１２によって接着される。このため、フィンガー部２１ａ近傍において、太陽電池１０と配線材１１との接着剤層１２によって接着されている面積が大きくなる。このため、フィンガー部２１ａ近傍における配線材１１と太陽電池１０との接着強度が高くなる。従って、配線材１１の剥離を抑制でき、フィンガー部２１ａと配線材１１との間の電気的接続をより確実に保持することができる。
【００５３】
一方、図１０に示すように、フィンガー部１２１ａの近傍に凸部２３ａ、２３ｂが設けられてない場合は、接着剤層１２０のフィンガー部１２１ａの側面と配線材１１１とを接着している部分が小さくなる。このため、フィンガー部１２１ａの近傍において、太陽電池１１０と配線材１１１との接着剤層１２０によって接着されている面積が小さくなる。よって、配線材１１１の接着強度を十分に高くすることができない。
【００５４】
本実施形態では、フィンガー部２１ａのｘ方向における両側に凸部２３ａ、２３ｂが設けられている。このため、フィンガー部２１ａのｘ方向における片側にのみ凸部が設けられている場合と比較して、配線材１１と太陽電池１０との接着強度をより高めることができる。また、フィンガー部２１ａと配線材１１との間の電気的接続をさらに確実に保持することができる。
【００５５】
接着剤層１２の凸部２３ａ、２３ｂの側面と配線材１１とに跨がっている部分と、接着剤層１２のフィンガー部２１ａの側面と配線材１１とに跨がっている部分とが連なっていることが好ましい。フィンガー部２１ａ近傍における太陽電池１０と配線材１１との接着強度をさらに高めることができる。また、フィンガー部２１ａと配線材１１との間の電気的接続をさらに確実に保持することができる。
【００５６】
配線材１１と太陽電池１０との接着強度をより高める観点からは、本実施形態のように、凸部２３ａ、２３ｂは、凸部２３ａ、２３ｂとフィンガー部２１ａとのｘ方向における距離がｘ方向におけるフィンガー部２１ａのピッチの１／３以下となるように配されていることが好ましく、１／１０以下となるように配されていることがより好ましい。凸部２３ａ、２３ｂは、凸部２３ａ、２３ｂとフィンガー部２１ａとの間のｘ方向における距離が０．７ｍｍ以下となるように配されていることが好ましく、０．２５ｍｍ以下となるように配されていることがより好ましい。凸部２３ａ、２３ｂは、凸部２３ａ、２３ｂとフィンガー部２１ａとの間のｘ方向における距離が、フィンガー部２１ａの幅の１０倍以下となるように配されていることが好ましく、４倍以下となるように配されていることがより好ましい。
【００５７】
また、本実施形態では、凸部２３ａ、２３ｂは、配線材１１の延びる方向であるｘ方向に対して傾斜した、具体的には垂直なｙ方向に沿って延びる線状である。このため、接着剤層１２の凸部２３ａ、２３ｂの側面と配線材１１とを接着している部分も配線材１１の延びる方向に対して垂直なｙ方向に延びることとなる。つまり、ｘ方向において、凸部２３ａ、２３ｂが設けられている部分の前後における配線材１１と太陽電池１０の接着強度が効果的に高められている。従って、凸部が配線材の延びる方向と平行に設けられている場合と比較して、太陽電池１０がｘ方向に沿って沿った際にも、配線材１１が太陽電池１０から剥がれにくい。
【００５８】
ところで、配線材１１と太陽電池１０との接着強度を高める観点からは、凸部２３ａ、２３ｂは、ｙ方向において配線材１１が設けられている領域全体にわたって設けられていることが好ましい。凸部２３ａ、２３ｂが配線材１１の外側に至るように配置されている必要は必ずしもない。例えば、受光面２０Ａにおける受光効率の低下を抑制し、かつ、凸部の形成コストを低減する観点からは、凸部を配線材のｙ方向の一方側端部から他方側端部にわたって設け、配線材の外側には設けないことが好ましい。しかしながら、この場合は、配線材の太陽電池に対する位置がずれてしまうと、配線材の下方に凸部が存在しない部分が生じてしまう。その結果、配線材と太陽電池の接着強度を十分に高めることができない虞がある。
【００５９】
それに対して、本実施形態では、凸部２３ａ、２３ｂは、配線材１１の幅方向であるｙ方向において、配線材１１の外側にまで至るように設けられている。このため、配線材１１のｙ方向における位置がずれてしまった場合であっても、配線材１１の下方に凸部２３ａ、２３ｂが存在しない部分が生じてしまうことを効果的に抑制することができる。従って、配線材１１のｙ方向における位置がずれてしまった場合においても、配線材１１と太陽電池１０との接着強度を高めることができる。すなわち、配線材１１と太陽電池１０との接着強度をより確実に高めることができる。配線材１１と太陽電池１０との接着強度をより確実に高める観点からは、凸部２３ａ、２３ｂのｙ方向における長さは、配線材１１の幅よりも０．１以上長いことが好ましく、０．３以上長いことがより好ましい。凸部２３ａ、２３ｂのｙ方向における長さは、配線材１１の幅の１．１倍以上であることが好ましく、１．３倍以上であることがより好ましい。
【００６０】
また、凸部２３の高さが、フィンガー部２１ａの高さと等しくされているため、配線材１１と太陽電池１０との接着強度をより効果的に高めることができる。
【００６１】
また、凸部２３ａ、２３ｂのｘ方向に沿った幅は、フィンガー部２１ａの幅の０．５倍〜３倍の範囲内とされている。このため、凸部２３ａ、２３ｂの仕上がり幅や高さはフィンガー部２１ａに近い仕上がりとなる。しかし、さらに仕上がり精度を良くするには、凸部２３のｘ方向に沿った幅は、フィンガー部２１ａの幅の１倍〜１．５倍の範囲内であることがより好ましい。
【００６２】
本実施形態では、凸部２３がバスバー部２１ｂ及びフィンガー部２１ａのうちの少なくとも一方に接続されており、また、凸部２３が導電部材により構成されている。このため、凸部２３は配線材との接触抵抗を低減させる機能を発揮し得る。従って、光電変換効率を高め得る。
【００６３】
本実施形態では、凸部２３は、バスバー部２１ｂと交差している。このため、バスバー部２１ｂと凸部２３の交点付近は、本来バスバー部２１ｂと凸部２３上にあった接着剤が、配線材１１を太陽電池１０に接続する際に、流動排出され、接着剤が多く存在するようになるため、配線材１１とバスバー部２１ｂの接続強度が向上する。
【００６４】
また、本実施形態では、凸部２３は、受光面電極２１と同じ材質である。このため、受光面電極２１を形成する工程において、凸部２３も形成することができる。従って、太陽電池１０の製造が容易となる。
【００６５】
また、本実施形態では、フィンガー部２１ａの近傍に配置された凸部２３ａ、２３ｂ以外に凸部２３ｃが設けられている。これにより、フィンガー部２１ａ近傍のみならず、フィンガー部２１ａ間の領域においても配線材１１と太陽電池１０との接着強度が高められている。従って、配線材１１の剥離をさらに効果的に抑制することができる。
【００６６】
詳細には、本実施形態では、この凸部２３ｃは、図７及び図８に示すように、光電変換部２０の受光面２０Ａのｘ方向における少なくとも一方側の端部に設けられている。これにより、配線材１１の下方において、受光面２０Ａのｘ方向における端部の単位面積あたりの凸部２３の周囲長の合計が、受光面２０Ａのｘ方向における中央部の単位面積あたりの凸部２３の周囲長の合計よりも長くされている。このため、配線材１１の端部の太陽電池１０に対する接着強度が効果的に高められている。よって、配線材１１の剥離の起点となる端部の剥離が抑制されている。従って、配線材１１の剥離をより効果的に抑制することができる。
【００６７】
配線材１１の剥離をさらに効果的に抑制する観点からは、配線材１１の下方において、受光面２０Ａのｘ方向における端部の単位面積あたりの凸部２３の周囲長の合計が、受光面２０Ａのｘ方向における中央部の単位面積あたりの凸部２３の周囲長の合計の１．１倍以上であることがより好ましく、１．５倍以上であることがさらに好ましい。また、複数の凸部２３は、配線材１１の下方において、受光面２０Ａのｘ方向における端部の単位面積あたりの凸部２３の本数が、受光面２０Ａのｘ方向における中央部の単位面積あたりの凸部２３の本数よりも多いことが好ましい。配線材１１の下方において、受光面２０Ａのｘ方向における端部の単位面積あたりの凸部２３の本数が、受光面２０Ａのｘ方向における中央部の単位面積あたりの凸部２３の本数の１．１倍以上であることがより好ましく、１．５倍以上であることがさらに好ましい。
【００６８】
なお、凸部２３ｃを受光面２０Ａのｘ方向における中央部にも設けてもよい。しかしながら、その場合は、凸部２３ｃの数量が多くなり、凸部２３ｃの形成コストが増大してしまうこととなる。従って、太陽電池１０の製造コストを低く抑える観点から、凸部２３ｃを受光面２０Ａのｘ方向における中央部には設けないことが好ましい。
【００６９】
本実施形態では、凸部２３ｃのｘ方向に沿った幅は、フィンガー部２１ａの幅の０．５倍〜３倍の範囲内とされている。このため、凸部２３ａ、２３ｂの仕上がり幅や高さはフィンガー部２１ａに近い仕上がりとなる。
【００７０】
なお、本実施形態では、受光面側に凸部が設けられている一方、裏面側には凸部が設けられていない例について説明した。裏面については、フィンガー部の数量を多くできるため、配線材と裏面との接着強度は、フィンガー部が少ない受光面と配線材との接着強度よりも高いためである。但し、本発明は、この構成に限定されない。例えば、裏面側に凸部を設け、受光面側に凸部を設けなくてもよい。また、受光面と裏面との両方に凸部を設けるようにしてもよい。
【００７１】
以下、本発明を実施した好ましい形態の他の例について説明する。以下の説明において、上記第１の実施形態と実質的に共通の機能を有する部材を共通の符号で参照し、説明を省略する。
【００７２】
（第２〜第４の実施形態）
図１１は、第２の実施形態における受光面電極２１の、受光面２０Ａのｘ方向の中央部に位置する部分の略図的平面図である。図１２は、第２の実施形態における受光面電極２１の、受光面２０Ａのｘ方向の端部に位置する部分の略図的平面図である。図１３は、第３の実施形態における受光面電極２１の、受光面２０Ａのｘ方向の中央部に位置する部分の略図的平面図である。図１４は、第３の実施形態における受光面電極２１の、受光面２０Ａのｘ方向の端部に位置する部分の略図的平面図である。図１５は、第４の実施形態における受光面電極２１の、受光面２０Ａのｘ方向の中央部に位置する部分の略図的平面図である。図１６は、第４の実施形態における受光面電極２１の、受光面２０Ａのｘ方向の端部に位置する部分の略図的平面図である。
【００７３】
第２〜第４の実施形態は、フィンガー部２１ａの近傍に設けられている凸部２３の形状を除いては、上記第１の実施形態と同様の構成を有する。
【００７４】
第２の実施形態では、凸部２３ａ、２３ｂに代えて、凸部２３ｄ、２３ｅが設けられている。凸部２３ｄ、２３ｅのそれぞれは、略Ｕ字状である。具体的には、凸部２３ｄ、２３ｅは、バスバー部２１ｂとは反対側に向かって開口する略Ｕ字状である。すなわち、凸部２３ｄは、ｙ方向に沿って延び、ｘ方向において間隔をおいて配列された一対の線状部２３ｄ１，２３ｄ２と、線状部２３ｄ１，２３ｄ２のバスバー部２１ｂ側端部を接続している線状部２３ｄ３とを有する。凸部２３ｅは、ｙ方向に沿って延び、ｘ方向において間隔をおいて配列された一対の線状部２３ｅ１，２３ｅ２と、線状部２３ｅ１，２３ｅ２のバスバー部２１ｂ側端部を接続している線状部２３ｅ３とを有する。
【００７５】
凸部２３ｄ、２３ｅは、バスバー部２１ｂとは接続されておらず、フィンガー部２１ａと接続されている。凸部２３ｄ、２３ｅは、フィンガー部２１ａと交差している。
【００７６】
第３の実施形態は、線状部２３ｄ３，２３ｅ３がバスバー部２１ｂ側に向かって突出する略Ｖ字状とされている点においてのみ上記第２の実施形態と異なる。第３の実施形態では、線状部２３ｄ３，２３ｅ３は、バスバー部２１ｂとフィンガー部２１ａとの交差部を通過する。
【００７７】
第４の実施形態では、ｘ方向に沿って延び、凸部２３ａ、２３ｂを接続している線状部２３ｆがバスバー部２１ｂの両側に設けられている。
【００７８】
これら第２〜第４の実施形態においても、上記第１の実施形態と同様に、フィンガー部２１ａに近接して凸部２３が配置されているため、配線材１１の剥離を抑制できる。配線材１１と受光面電極２１との接続を確実に保持し得る。
【００７９】
また、第２〜第４の実施形態においても、上記第１の実施形態と同様に、配線材１１の下方において、受光面２０Ａのｘ方向における端部の単位面積あたりの凸部２３の周囲長の合計が、受光面２０Ａのｘ方向における中央部の単位面積あたりの凸部２３の周囲長の合計よりも長い。よって、配線材１１の剥離を効果的に抑制することができる。凸部２３ｃが受光面２０Ａのｘ方向における中央部に設けられていないため、太陽電池１０の製造コストを低く抑えることができる。
【００８０】
第２の実施形態では、ｘ方向に沿って延びる線状部２３ｄ、２３ｅが設けられている。第４の実施形態では、ｘ方向に沿って延びる線状部２３ｆが設けられている。
【００８１】
第２〜第４の実施形態では、凸部２３ｄ、２３ｅ、２３ｆがフィンガー部２１ａと交差している。このため、凸部２３ｄ、２３ｅ、２３ｆ及びフィンガー部２１ａと接触する配線材１１の面積が大きくなるため、接触抵抗を軽減することができる。
【００８２】
（第５〜第７の実施形態）
図１７は、第５の実施形態における受光面電極２１の、受光面２０Ａのｘ方向の端部に位置する部分の略図的平面図である。図１８は、第６の実施形態における受光面電極２１の、受光面２０Ａのｘ方向の端部に位置する部分の略図的平面図である。図１９は、第７の実施形態における受光面電極２１の、受光面２０Ａのｘ方向の端部に位置する部分の略図的平面図である。
【００８３】
第５〜第７の実施形態では、凸部２３ｃがバスバー部２３ｂ及びフィンガー部２１ａのいずれにも接続されないように設けられている。具体的には、本実施形態では、凸部２３ｃは、バスバー部２１ｂの両側に設けられている。このため、凸部２３の周囲長を長くすることができ、配線材１１の接着強度を向上させることができる。
【００８４】
また、第５〜第７の実施形態においても、上記第１の実施形態と同様に、配線材１１の剥離を抑制できるという効果が得られる。
【００８５】
（第８の実施形態）
図２０は、第８の実施形態における受光面電極２１の、受光面２０Ａのｘ方向の中央部に位置する部分の略図的平面図である。図２１は、第８の実施形態における受光面電極２１の、受光面２０Ａのｘ方向の端部に位置する部分の略図的平面図である。
【００８６】
本実施形態は、凸部２３ａ、２３ｂがバスバー部２１ｂの両側に、バスバー部２１ｂとは接触しないように設けられている点で第５の実施形態と異なる。すなわち、本実施形態では、凸部２３ａ、２３ｂ、２３ｃは、バスバー部２１ｂ及びフィンガー部２１ａの両方から隔離されている。このため、凸部２３の周囲長を交差もしくは接触している場合より長くすることができ、配線材の接着強度を向上させることができる。
【００８７】
また、第８の実施形態においても、上記第１の実施形態と同様に、配線材１１の剥離を抑制できるという効果が得られる。
【００８８】
（第９の実施形態）
図２２は、第９の実施形態における受光面電極２１の、受光面２０Ａのｘ方向の中央部に位置する部分の略図的平面図である。図２３は、第９の実施形態における受光面電極２１の、受光面２０Ａのｘ方向の端部に位置する部分の略図的平面図である。
【００８９】
本実施形態では、凸部２３は、凸部２３ｇと凸部２３ｈとを含む。凸部２３ｇ、２３ｈは、ｘ方向に沿って延びている。凸部２３ｇは、フィンガー部２１ａの近傍に配置されている。凸部２３ｇは、フィンガー部２１ａと交差している。凸部２３ｇは、フィンガー部２１ａの延びる方向であるｙ方向に沿って複数配列されている。凸部２３ｈは、受光面２０Ａのｘ方向における中央部には設けられておらず、端部に設けられている。凸部２３ｈは、ｙ方向に沿って複数配列されている。ｙ方向に沿って配列されている凸部２３ｈの数は、ｙ方向に沿って配列されている凸部２３ｇの数よりも少ない。凸部２３ｈは、すべて配線材１１の下方に配置されているのに対して、凸部２３ｇは、一部が配線材１１の下方に配置されており、残りの一部が配線材１１の外側に配置されている。
【００９０】
第９の実施形態においても、上記第１の実施形態と同様に、配線材１１の剥離を抑制できるという効果が得られる。
【００９１】
また、本実施形態のように、凸部２３を、配線材１１の延びる方向であるｘ方向に沿って延びるものとすることにより、配線材１１の接続時にウェハにかかる圧縮負荷を効率良く分散することができる。
【００９２】
（第１０及び第１１の実施形態）
図２４は、第１０の実施形態における受光面電極２１の、受光面２０Ａのｘ方向の中央部に位置する部分の略図的平面図である。図２５は、第１０の実施形態における受光面電極２１の、受光面２０Ａのｘ方向の端部に位置する部分の略図的平面図である。図２６は、第１１の実施形態における受光面電極２１の、受光面２０Ａのｘ方向の中央部に位置する部分の略図的平面図である。図２７は、第１１の実施形態における受光面電極２１の、受光面２０Ａのｘ方向の端部に位置する部分の略図的平面図である。
【００９３】
上記第１〜第９の実施形態では、バスバー部２１ｂがｘ方向に沿って延びる直線状である例について説明した。但し、本発明は、この構成に限定されない。第１０及び第１１の実施形態のように、バスバー部２１ｂを、ｘ方向に沿って延びるジグザグ状にしてもよい。この場合であっても、上記実施形態１と同様に配線材１１の剥離を抑制できるという効果が得られる。また、このようにすることにより、配線材１１の接続時にウェハにかかる圧縮負荷を効率良く分散することができ、また凸部２３の周囲長も長くすることができるため、配線材１１の接着強度を向上させることができる。
【００９４】
第１０の実施形態では、第９の実施形態と同様に、凸部２３ｇに加えて凸部２３ｈも設けられている。この第１０の実施形態と上記第１０の実施形態においては、ｙ方向に沿って配列された複数の凸部２３ｇのうち、バスバー部２１ｂに近い凸部は、相対的に短く、バスバー部２１ｂから遠い凸部は、相対的に長くされている。このようにすることにより、バスバー部２１ｂから遠い部分においても、配線材１１と太陽電池１０との接着強度を効果的に高めることができる。
【００９５】
第１１の実施形態では、受光面２０Ａのｘ方向における端部には、バスバー部２１ｂに加えてバスバー部２１ｃが設けられている。バスバー部２１ｃは、受光面２０Ａのｘ方向における中央部には設けられていない。バスバー部２１ｃは、ｘ方向に沿って延びる直線状である。このように、バスバー部２１ｃを設けることにより、配線材１１の剥離の起点となる端部の太陽電池１０に対する接着強度をより高めることができる。
【００９６】
また、第１１の実施形態では、受光面２０Ａのｘ方向における中央部においては、凸部２３ｇのすべてが配線材１１の下方に設けられている一方、端部においては、凸部２３ｇの一部が配線材１１の両側に配置されている。このため、配線材１１の太陽電池１０に対するｙ方向位置がずれた場合であっても、配線材１１の端部の太陽電池１０に対する接着強度が低下しにくい。従って、配線材１１の剥離を確実に抑制することができる。
【００９７】
なお、受光面２０Ａの全体に、直線状のバスバー部とジグザグ状のバスバー部との両方を設けてもよい。
【符号の説明】
【００９８】
１…太陽電池モジュール
１０…太陽電池
１１…配線材
１２…樹脂接着剤層
２０…光電変換部
２０Ａ…受光面
２０Ｂ…裏面
２０ａ…半導体基板
２０ｃ…ｎ型非晶質半導体層
２０ｆ…ｐ型非晶質半導体層
２１…受光面電極
２２…裏面電極
２１ａ、２２ａ…フィンガー部
２１ｂ、２２ｂ…バスバー部
２３…凸部
【図１】
0005874011.tif 000002
【図２】
0005874011.tif 000003
【図３】
0005874011.tif 000004
【図４】
0005874011.tif 000005
【図５】
0005874011.tif 000006
【図６】
0005874011.tif 000007
【図７】
0005874011.tif 000008
【図８】
0005874011.tif 000009
【図９】
0005874011.tif 000010
【図１０】
0005874011.tif 000011
【図１１】
0005874011.tif 000012
【図１２】
0005874011.tif 000013
【図１３】
0005874011.tif 000014
【図１４】
0005874011.tif 000015
【図１５】
0005874011.tif 000016
【図１６】
0005874011.tif 000017
【図１７】
0005874011.tif 000018
【図１８】
0005874011.tif 000019
【図１９】
0005874011.tif 000020
【図２０】
0005874011.tif 000021
【図２１】
0005874011.tif 000022
【図２２】
0005874011.tif 000023
【図２３】
0005874011.tif 000024
【図２４】
0005874011.tif 000025
【図２５】
0005874011.tif 000026
【図２６】
0005874011.tif 000027
【図２７】
0005874011.tif 000028